(57)【要約】【課題】頭部からかぶりながら試着しなければならない衣服を脱ぐ際に一緒に離脱することなく、しかも極めて簡単に装着することが可能な顔面カバーを提供する。【解決手段】断面略長方形状の被覆体２を折り返して側端部１１、１２を接着することにより形成された収容袋体に対して開口５が形成され、開口５を介して挿入した上頭を収容する上頭保持部３と、当該開口５を介して挿入した顎部を収容する顎保持部４が更に形成されていることを特徴とする。【選択図】図１
0003162479.tif 000002
【実用新案登録請求の範囲】
【請求項１】
断面略長方形状の被覆体を折り返して側端部を接着することにより形成された収容袋体に対して開口が形成され、
上記開口を介して挿入した上頭を収容する上頭保持部と、上記開口を介して挿入した顎部を収容する顎保持部が更に形成されていること
を特徴とする顔面カバー。
【請求項２】
上記上頭保持部の下端が、上記顎保持部の上端よりも上方に位置するように形成されていること
を特徴とする請求項１記載の顔面カバー。
【請求項３】
上記上頭保持部の下端が、上記顎保持部の上端と略同一位置となるように形成されていること
を特徴とする請求項１記載の顔面カバー。
【請求項４】
上記上頭保持部の下端が、上記顎保持部の上端よりも下方に位置するように形成されていること
を特徴とする請求項１記載の顔面カバー。
【考案の詳細な説明】
【技術分野】
【０００１】
本考案は、衣服を購入する際の試着時において、試着者の顔面の化粧が試着した衣服に付着するのを防止するための顔面カバーに関する。
【背景技術】
【０００２】
婦人服売り場などで、試着時に化粧品、整髪剤により、試着衣類が汚れるのを防ぐために、透視可能な不織布またはフイルムを使用した顔面カバーが知られている（例えば特許文献１参照。）
【先行技術文献】
【特許文献】
【０００３】
【特許文献１】特開平１１−１１３６３２号公報
【考案の概要】
【考案が解決しようとする課題】
【０００４】
しかしながら、従来の顔面カバーでは、例えば頭部からかぶりながら試着しなければならない衣服を脱ぐ際に、顔面カバーも一緒に離脱してしまうという問題点があった。また従来の顔面カバーは、より安定した状態で装着するためには、複雑な装着動作をしなければならない場合もあることから、特に近年において極めて簡単に装着することが可能な顔面カバーが望まれていた。
【０００５】
そこで、本考案は、上述した問題点に鑑みて案出されたものであり、その目的とするところは、頭部からかぶりながら試着しなければならない衣服を脱ぐ際に一緒に離脱することなく、しかも極めて簡単に装着することが可能な顔面カバーを提供することにある。
【課題を解決するための手段】
【０００６】
本願請求項１記載の顔面カバーは、上述した課題を解決するために、断面略長方形状の被覆体を折り返して側端部を接着することにより形成された収容袋体に対して開口が形成され、上記開口を介して挿入した上頭を収容する上頭保持部と、上記開口を介して挿入した顎部を収容する顎保持部が更に形成されていることを特徴とする。
【０００７】
また、本願請求項２記載の顔面カバーは、請求項１記載の考案において、上記上頭保持部の下端が、上記顎保持部の上端よりも上方に位置するように形成されていることを特徴とする。
【０００８】
また、本願請求項３記載の顔面カバーは、請求項１記載の考案において、上記上頭保持部の下端が、上記顎保持部の上端と略同一位置となるように形成されていることを特徴とする。
【０００９】
また、本願請求項４記載の顔面カバーは、請求項１記載の考案において、上記上頭保持部の下端が、上記顎保持部の上端よりも下方に位置するように形成されていることを特徴とする。
【考案の効果】
【００１０】
上述した構成からなる本考案によれば、顔面カバーにより顔面が外部から遮蔽されることから、試着者の顔面の化粧が、試着した衣服に付着するのを防止することができるのは勿論のこと、特に頭部からかぶりながら試着しなければならない衣服を脱ぐ際にも、試着者の顎部は、顎保持部により保持されることから、顔面カバーが一緒に離脱してしまうのを防止することができ、安定した保持を実現することが可能となる。また、本考案によれば、単に試着者は自らの上頭を開口を介して挿入させ、本考案を適用した顔面カバーの下端を手で把持してこれを顎部へと引き寄せて係止させるのみで極めて簡単に装着することが可能となる。即ち、本考案１を適用した顔面カバーは、極めて簡易な動作で着けることが可能となる。
【図面の簡単な説明】
【００１１】
【図１】（a）は、本考案を適用した顔面カバー１の正面図であり、 (b)は、本考案を適用した顔面カバー１の側面図を示している。
【図２】本考案を適用した顔面カバーを開いた状態の側面図である。
【図３】本考案を適用した顔面カバーを試着者が被った状態の側面図である。
【図４】上頭保持部の下端が、顎保持部の上端と略同一位置となるように形成させた例を示す図である。
【図５】上頭保持部の下端が、顎保持部の上端よりも下方に位置するように形成させた例を示す図である。
【図６】図５の形態からなる顔面カバーを試着者が実際に被った状態の側面図である。
【図７】本考案の他の実施の形態に係る顔面カバーの正面図である。
【図８】図７の形態からなる顔面カバーを試着者が実際に被った状態の側面図である。
【考案を実施するための形態】
【００１２】
以下、本考案の実施の形態について詳細に説明する。
【００１３】
図１（a）は、本考案を適用した顔面カバー１の正面図であり、図１(b)は、本考案を適用した顔面カバー１の側面図を示している。
【００１４】
本考案を適用した顔面カバー１は、断面略長方形状の被覆体２を折り返して側端部１１、１２を接着することにより形成された収容袋体に対して開口５が形成されたものである。この開口５を介して挿入した上頭を収容するための上頭保持部３と、当該開口５を介して挿入した顎部を収容する顎保持部４が更に形成されている。
【００１５】
被覆体２は、変形容易な材料で構成されていればいかなるものであってもよいが、試着者がかぶるものであることから、少なくとも通気性を有するものであることが望ましく、例えば不織布等の布や紙からなる。被覆体２は、上側頂辺２ａにおいて折り返されてなり、また下側頂辺２ｂにおいて折り返されてなる。
【００１６】
図２は、本考案を適用した顔面カバー１を開いた状態の側面図を、図３は、本考案を適用した顔面カバー１を試着者が被った状態の側面図を示している。
【００１７】
上頭保持部３は、開口５を介して挿入されてくる試着者の頭部を収容できる程度の深さ、幅からなる袋状で構成されている。また顎保持部４は、少なくとも試着者の顎部を収容できる程度の深さ、幅からなる袋状で構成されている。
【００１８】
また、上頭保持部３の下端３ａが、顎保持部４の上端４ａよりも上方に位置するように形成されている。なお、この顔面カバー１における左右方向の標準的な寸法は３０ｃｍ〜４５ｃｍ程度であり、上下方向の標準的な寸法は、３５〜５０ｃｍ程度であるが、これに限定されるものではない。
【００１９】
このような構成からなる顔面カバー１を試着者が装着する際には、自らの上頭を開口５を介して挿入させて上頭保持部３に収容させる。このとき、図３に示すように、顎保持部４の下部を手で把持し、自らの顎部にこの顎保持部４に係止させ、顎部を顎保持部に収容させる。その結果、試着者の上頭は、上頭保持部３により保持され、試着者の顎部は、顎保持部４により保持されることになる。即ち、本考案に係る顔面カバー１により顔面が外部から遮蔽されることから、試着者の顔面の化粧が、試着した衣服に付着するのを防止することができるのは勿論のこと、特に頭部からかぶりながら試着しなければならない衣服を脱ぐ際にも、試着者の顎部は、顎保持部により保持されることから、顔面カバー１が一緒に離脱してしまうのを防止することができ、安定した保持を実現することが可能となる。また、本考案によれば、単に試着者は自らの上頭を開口５を介して挿入させ、本考案を適用した顔面カバー１の下端を手で把持してこれを顎部へと引き寄せて係止させるのみで極めて簡単に装着することが可能となる。即ち、本考案１を適用した顔面カバー１は、極めて簡易な動作で着けることが可能となる。
【００２０】
図４は、本考案の他の実施の形態に係る顔面カバー１の正面図である。この図４に示す実施形態では、上頭保持部３の下端３ａが、顎保持部４の上端４ａと略同一位置となるように形成されている。
【００２１】
図５は、本考案の他の実施の形態に係る顔面カバー１の正面図である。この図５に示す実施形態では、上頭保持部３の下端３ａが、顎保持部４の上端４ａよりも下方に位置するように形成されている。このとき、顎保持部４の上端４ａが内側に、また上頭保持部３がこれを覆うように外側に位置している。図６は、かかる構成からなる顔面カバー１を試着者が実際に被った状態の側面図を示している。
【００２２】
図７は、本考案の他の実施の形態に係る顔面カバー１の正面図である。この図７に示す実施形態では、上頭保持部３の下端３ａが、顎保持部４の上端４ａよりも下方に位置するように形成されている。このとき、上頭保持部３の下端３ａが内側に、また顎保持部４がこれを覆うように外側に位置している。図８は、かかる構成からなる顔面カバー１を試着者が実際に被った状態の側面図を示している。
【００２３】
このような他の実施形態に係る本考案においても、上述と同様の作用効果を奏することは勿論である。
【符号の説明】
【００２４】
１  顔面カバー
２  被覆体
３  上頭保持部
４  顎保持部
５  開口
１１、１２  側端部
【図１】
0003162479.tif 000003
【図２】
0003162479.tif 000004
【図３】
0003162479.tif 000005
【図４】
0003162479.tif 000006
【図５】
0003162479.tif 000007
【図６】
0003162479.tif 000008
【図７】
0003162479.tif 000009
【図８】
0003162479.tif 000010